(57)【要約】【課題】手摺を必要とする者が、望ましい位置に手摺を移動させて使用することができ、且つ安定して支持し得る取付けのできる介護用手摺を提供する。【解決手段】横方向に平行な二つのパイプ１，１の後端部に取付板２を付設し、前端部には取付棒３をクロスさせるように縦方向に付設して支持し、更に前記パイプ１，１の前端部と後端部の間も１乃至複数の支持部材４で支持するようにして、該支持されたパイプ１，１に手摺５を移動自在に嵌入して、前記パイプ１，１の前端部にストッパー６を螺合させて止められるように構成されてなる介護用手摺で、前記取付板２を木造住宅等の出入口付近の奥壁面、取付棒３を出入口柱、支持部材４を側壁面等に取付けて支持する。支持棒３は嵌入してストッパー螺子３ｂで止められるようにしたパイプ３Ｂを介してパイプ１，１の前端部を支持するが、直接パイプ１，１の前端部に付設して支持しても良い。【選択図】図１
0003129311.tif 000002
【実用新案登録請求の範囲】
【請求項１】
後端部は取付板を付設して支持し、前端部は縦方向にクロスさせて付設した取付棒で支持するようにした横方向に平行な二つのパイプに、コ字状に形成された手摺を移動自在に嵌入して、前記二つのパイプの前端部にストッパーを螺合させて手摺が止められるように構成されてなることを特徴とする介護用手摺。
【請求項２】
取付棒は、上下両端部にＬ字状の取付板を付設し、該取付板を付設した取付棒を嵌入して任意の高さ位置に止めるためのストッパー螺子を具備したパイプを介して、横方向に平行な二つのパイプの前端部に付設されてなることを特徴とする請求項１記載の介護用手摺。
【請求項３】
横方向に平行な二つのパイプの前端部と後端部の間を支持するための１乃至複数の支持部材が具備されてなることを特徴とする請求項１又は請求項２記載の介護用手摺。
【請求項４】
二つのパイプに移動自在に嵌入された手摺を任意の位置で締め付け固定するようにしたストッパーが、前記二つのパイプの前端部に螺合されてなることを特徴とする請求項１〜請求項３のいずれか１項記載の介護用手摺。
【考案の詳細な説明】
【技術分野】
【０００１】
本考案は、木造住宅のトイレや浴室等の出入口付近に、邪魔にならないようにして且つ安定した状態で取付けられるようにした介護用手摺に関する。
【背景技術】
【０００２】
高齢者人口が増加するに伴い、建築物への手摺の取付け需要が高まっているが、従来の手摺は固定式のものが一般的であり、トイレや浴室等のドアの出入口付近に取付けたりすると、出入口を塞いだり、ぶつかったりして邪魔になることが多く、且つ手摺を必要とする者が、望ましい位置に手摺を移動させて使用することはできない。
【０００３】
又、壁面から片持ち状態に支持され、手摺部の先端位置を任意の位置に設定することのできる自在手摺なるものは開示され、公知されている。（例えば特許文献１参照。）。
【０００４】
【特許文献１】特開２００４−２４４８２３号公報
【考案の開示】
【考案が解決しようとする課題】
【０００５】
しかしながら、上記特許文献１に記載される自在手摺は、手摺部にかかる力が、後端部の壁面取付部に集中し、一般木造住宅等の壁面だけでは安定した支持が得られないなどの問題点がある。特に自力歩行の弱い高齢者等においては、便器等への着座及び立ち上り時に過度の力が手摺にかかったり、或いは手摺に凭れかかるようにして使用されることが多く、取付部の安定した支持が得られないおそれがある。
よって本考案は、手摺を必要とする者が、望ましい位置に手摺を移動させて使用することができると共に、安定して支持し得る取付けができるようにした介護用手摺を提供することを目的とし、該目的を達成することを課題とするものである。
【課題を解決するための手段】
【０００６】
上記目的を達成するために、本考案は以下に記載するような手段を講じてなる介護用手摺とするものである。すなわち、
（１）後端部は取付板を付設して支持し、前端部は縦方にクロスさせて付設した取付棒で支持するようにした横方向に平行な二つのパイプに、コ字状に形成された手摺を移動自在に嵌入して、前記二つのパイプの前端部にストッパーを螺合させて手摺が止められるように構成されてなることを特徴とする介護用手摺である。横方向に平行な二つのパイプにコ字状に形成された手摺を移動自在に嵌入することにより、手摺を望む位置に移動させることが可能となり、使用後はパイプ内への収納が可能となる。
手摺を移動自在に嵌入する二つのパイプは、前端部が取付棒で支持され、該取付棒は木造住宅等の出入口柱に縦方向に取付けられ、後端部は取付板で支持されて木造住宅等の出入口奥壁面等に取付けられて、前端部と後端部で安定した支持を得るようにした。手摺は引出し端でストッパーにより止められて抜けることはないが、ストッパーの螺合を外すことにより着脱は容易である。
【０００７】
（２）取付棒は、上下両端部にＬ字状の取付板を付設し、該取付板を付設した取付棒を嵌入して任意の高さ位置に止めるためのストッパー螺子を具備したパイプを介して、横方向に平行な二つのパイプの前端部に付設されてなることを特徴とする。ストッパー螺子を具備したパイプに取付棒を嵌入して木造住宅等の出入口に取付けることにより手摺の高さ位置を任意に変えてセッティングする場合や、反対勝手側の出入口柱に取付ける場合に好都合となる。
【０００８】
（３）横方向に平行な二つのパイプの前端部と後端部の間を支持するための１乃至複数の支持部材が具備されてなることを特徴とする。手摺を移動自在にして保持する前記二つのパイプの前端部と後端部の間を木造住宅等の側壁面に当てて１乃至複数個所を支持部材で支持して取付けることで、より安定した取付け支持が得るのに好適となる。
【０００９】
（４）二つのパイプに移動自在に嵌入された手摺を任意の位置で締め付け固持するようにしたストッパーが、前記二つのパイプの前端部に螺合されてなることを特徴とする。該手段を前記二つのパイプの前端部に螺合させて施すことにより、手摺を望む位置に固定して使用したり、移動自在に手摺を移動させて使用することを可能にすると共に、引出し端で手摺を止めて使用することを可能とする。
又、ストッパーの螺合を外すことにより二つのパイプへの着脱は容易である。
【考案の効果】
【００１０】
上記手段にて記載するように、本考案は、横方向に平行な二つのパイプに、コ字状に形成された手摺が移動自在に嵌入されたものであるから、手摺を必要とする者が望む位置に手摺を移動させて使用することができると共に、使用しない時は手摺をパイプ内に押し込んで収納できるから、木造住宅等の出入口付近を塞いだりして邪魔になることなく取付けられる。
【００１１】
又、手摺を移動自在に保持するための横方向に平行な二つのパイプは、前端部と後端部、及び前端と後端の間を支持して木造住宅等の柱や壁面に取付けられるから、手摺にかかる力が一箇所の取付部分に集中せず安定した支持を得ることができ、且つ前記二つの前端部は、木造住宅等の出入口柱に縦方向に取付ける取付棒で支持されるから、該取付棒も立ち上る時などの手摺として利用効果があると共に、該取付棒を嵌入して任意の高さ位置に止めるためのストッパー螺子を具備したパイプを介して横方向に平行な二つのパイプの前端部を支持するようにすれば手摺の取付棒への高さ位置を任意に変えてセッティングする場合や、反対勝手側の出入口柱に取付ける場合に好都合となる。
【００１２】
更に、構造は標準規格品を使用するなどしてシンプルに製作できるから、安価に製作することができる。
【考案を実施するための最良の形態】
【００１３】
本考案を実施するための最良の形態について、以下記載する実施例にて図面に基き詳細に説明する。
【実施例１】
【００１４】
図１は、本考案の実施例を示す斜視図である。図示するように、横方向に平行な二つのパイプ１，１は、後端部に取付板２が付設され、前端部には取付棒３が縦方向にクロスさせて付設されており、コ字状に形成された手摺５を前記二つのパイプ１，１に移動自在に嵌入して前方矢印方向に引き出せるようにし、前記二つのパイプの前端部にストッパー６を螺合させて止められるように構成されている。更に必要に応じて二つのパイプ１，１の前端部と後端部の間を１乃至複数の支持部材４，・・・で支持するようにしてある。
【００１５】
パイプ１は、一般的に使用される鋼管で、好ましくはステンレス鋼管等の剛性のある丸鋼管にして、その外径はおおむね３５〜４０ｍｍ程度で、長さは木造住宅等の出入口柱から片隅部奥壁面までの寸法にほぼ一致するような長さとして、パイプの前端が出入口柱より突き出ないようにするのが良い。
【００１６】
取付板２は、鋼板製で、前記パイプ１，１の後端部に両端部を溶接等で付着されて取付孔２ａ，・・・が穿設されており、取付棒３は前記パイプ１と同様に一般的に使用される鋼管で、ステンレス鋼管等の剛性のある丸鋼管が好ましく、その外径はおおむね３０〜３５ｍｍ程度で、上下両端部には木造住宅等の出入口柱に取付けるための鋼板製の取付板３Ａ，３Ａが溶接等で付着され、該取付板３Ａ，３ＡはＬ字状に形成されて取付孔３ａ，３ａが穿設されている。
【００１７】
又、取付棒３は、鋼管製のパイプ３Ｂに嵌入されて、該パイプ３Ｂを介して前記二つのパイプ１，１の前端部に縦方向にクロスするように溶接等により付着されるが、パイプ３Ｂを介せず直に溶接等で付着しても良い。取付棒３は、二つのパイプ１，１より上方を長くして固定されているが、このように長くして木造住宅等の出入口柱に縦方向に取付けることにより、立ち上がったりする場合の手摺としても有効に利用し得る。
【００１８】
前記、パイプ３Ｂには取付棒３を任意の高さ位置で固定するためのストッパー螺子３ｂが具備されており、該ストッパー螺子を具備したパイプ３Ｂを介して取付棒３を二つのパイプ１，１の前端部に縦方向にクロスさせて付設することにより本実施例にて図示するような形態と反対勝手なものに変えたり、取付棒への高さ位置を変えてのセッティングが好都合となる。
【００１９】
支持部材４は、二つのパイプ１，１の外径に係合すべく両端部に半円弧状の係合部４ａ，４ａを形成し、木造住宅等の壁面に当接する取付面に取付孔４ｂ，・・・を穿設した鋼板製の支持部材で、木造住宅等の柱と柱の間の中間柱や筋交い、垂木等の当て木のしてある部分の壁面に１乃至複数取付けて前記パイプ１，１を支持するようにしたもので、該支持部材によりさらに安定した支持を得る。なお、支持部材４は、二つのパイプ１，１を同時に押えて支持するようにしてあるが、個々に押えて支持するような市販された支持部材（図示せず）を利用しても良い。
【００２０】
手摺５は、一般的に使用される鋼管で、好ましくはステンレス鋼管等の剛性のある丸鋼管で、その外径を前記二つのパイプ１，１の内径より小さくしてコ字状に形成し、前記二つのパイプ１，１の内径部に移動自在に嵌入して、二つのパイプ１，１の前端部に螺合させて設けられたストッパー６，６により手摺５が引出し端で止められて抜けないようにしてある。
【００２１】
すなわち、図２に示すように手摺５の端部には、外径が手摺５より僅かに大きく且つパイプ２の内径より僅かに小さなストッパープレート５ａが付着されていて、手摺５を移動自在に貫通させてパイプ１の前端部の螺子部１ａに螺合させたストッパー６に前記ストッパープレート５ａが当接して、手摺５が引出し端で止められるようにしてある。
ストッパー６の螺合を緩めて取り外せば、手摺５はパイプ１へ着脱自在となる。
【００２２】
又、移動自在にパイプ１，１に嵌入した手摺５を任意の位置に固定して使用することもできる。その実施の形態を図３にて説明すると、前記パイプ１の先端に螺合させたストッパー６Ａの内径部に、コレット状のスリーブ６Ｂを介在させて手摺５を移動自在に貫通させ、レバー６Ｃを設けたストッパー６Ａを回転角度が９０〜１８０度回動させることにより手摺５が締め付けられて固持されるようにしたストッパーがパイプ１の前端部の螺子部１ｂに螺合させてある。
【００２３】
前記コレット状のスリーブ６Ｂは、図４に示すような形状を呈し、その内径部６ａに手摺５の外径部を移動自在に嵌合させて貫通させるようにし、外径部６ｂをパイプ１の前端内径部に嵌合させると共に段差部６ｃが前記パイプ１の前端面当接させた状態で嵌着されていて、パイプ１の前端部に螺合させたストッパー６Ａをレバー６Ｃにより回動させて締め付けることにより、複数にスリット加工されたコレット状のスリーブ６Ｂのテーパー面６ｄが、前記ストッパー６Ａの内径口部に形成されたテーパー面６ｅにより押されて縮み、手摺５の外径部にスリーブ６Ｂの内径部６ａが食い付くようにして固持される。逆にストッパー６Ａを緩めると、手摺５は移動自在となり、引き出すと手摺５の端部に設けられた前記ストッパープレート５ａが、パイプ１の前端内径部に嵌着されたスリーブ６Ｂの端面に当接して止められる。
ストッパー６Ａの螺合を緩めて取り外し、スリーブ６Ｂをパイプ１から外せば手摺５はパイプ１へ着脱自在となる。
【００２４】
図５は、木造住宅等のトイレと浴室の出入口付近への取付例を示す斜視図である。
横方向に平行な二つのパイプ１，１は、後端部が取付板２で支持されてトイレ室Ａの奥壁面７の片隅部に取付螺子７ａ，・・・にて取付けられ、前端部が取付棒３で支持されて、取付棒３の上下両端部に付設された取付板３Ａ，３Ａが取付螺子７ｂ，・・・にてトイレ室Ａと浴室Ｂの出入口柱８に取付棒３を縦方向にして取付けられており、更に前記パイプ１，１の支持を補強すべく後端部と前端部の間を１乃至複数（本実施例では２）の支持部材４で支持するようにしてあり、支持部材４は取付螺子７ｃ，・・・にてトイレ室の側壁面７Ａに取付けられている。取付ける前記奥壁面７や側壁面７Ａには、中間柱や筋交い、垂木等の当て木を施してあるのが望ましい。
【００２５】
上記のように取付られて支持された前記二つのパイプ１，１の前端部には、引出し端で止められるようにストッパー６，６を介して手摺５が移動自在に嵌入されており、トイレ室Ａから浴室Ｂ、或いは浴室Ｂからトイレ室Ａへの移動に供され、使用しない時は手摺５をパイプ１，１内に押し込んで収納することにより出入口の出入に邪魔にならない。
【００２６】
又、取付棒３は、ストッパー３ｂを具備したパイプ３Ｂに嵌入され、該パイプ３Ｂを介してパイプ１，１の前端部を支持するようにしてあり、取付棒３を直接パイプ１，１の前端部に付設して支持するようにしても良いが、前記パイプ３Ｂを介して支持することにより、例えば本実施例図と反対側（浴室側）への取付、及び取付棒３へのパイプ１，１の高さ位置を変えてセッティングするのに好都合となり、手摺５を使用する者の望む高さ位置に好適に変えられる。取付棒３は、パイプ１，１の上方へ長くして取付けられており、このように取付けることにより、該取付棒３もトイレ室の便座からの立ち上がりや浴室での立ち上がりに有効に供せられる。
【図面の簡単な説明】
【００２７】
【図１】本考案の実施例を示す斜視図である。
【図２】手摺の引出し端で止めるようにしたストッパー部の要部断面図である。
【図３】手摺を任意の位置で固定するストッパー部の要部断面図である。
【図４】図３におけるスリーブの斜視図である。
【図５】本考案の取付例を示す斜視図である。
【符号の説明】
【００２８】
１，３Ａ  パイプ
１ａ，１ｂ  螺子部
２，３Ｂ  取付板
２ａ，３ａ，４ｂ  取付孔
３  取付棒
３ｂ  ストッパー螺子
４  支持部材
４ａ  係合部
５  手摺
５ａ  ストッパープレート
６，６Ａ  ストッパー
６Ｂ  スリーブ
６Ｃ  レバー
６ａ  内径部
６ｂ  外径部
６ｃ  段差部
６ｄ，６ｅ  テーパー面
７  奥壁面
７Ａ  側壁面
７ａ，７ｂ，７ｃ  取付螺子
８  出入口柱
【図１】
0003129311.tif 000003
【図２】
0003129311.tif 000004
【図３】
0003129311.tif 000005
【図４】
0003129311.tif 000006
【図５】
0003129311.tif 000007